(57)【要約】【課題】音声処理装置、通話録音方法、及びプログラムを提供する。【解決手段】電話機を接続可能に構成された音声処理装置において、前記電話機での通話内容を録音する録音手段と、前記録音手段により録音された前記通話内容に基づいて録音ファイルを生成するファイル生成手段と、前記電話機から通話相手に関する情報を取得する情報取得手段と、前記情報取得手段により取得された前記通話相手に関する情報を前記ファイル生成手段により生成された録音ファイルに付与する情報付与手段と、を備える。【選択図】図２
2010171762.tif 000002
【特許請求の範囲】
【請求項１】
電話機を接続可能に構成された音声処理装置において、
前記電話機での通話内容を録音する録音手段と、
前記録音手段により録音された前記通話内容に基づいて録音ファイルを生成するファイル生成手段と、
前記電話機から通話相手に関する情報を取得する情報取得手段と、
前記情報取得手段により取得された前記通話相手に関する情報を前記ファイル生成手段により生成された録音ファイルに付与する情報付与手段と、
を備えることを特徴とする音声処理装置。
【請求項２】
前記通話相手に関する情報は、当該通話相手の電話番号を含むことを特徴とする請求項１に記載の音声処理装置。
【請求項３】
前記通話相手に関する情報は、前記電話機内で前記電話番号に対応付けられた文字列を含むことを特徴とする請求項２に記載の音声処理装置。
【請求項４】
前記情報付与手段により前記通話相手に関する情報を付与された録音ファイルを記憶する記憶手段を更に備え、
前記記憶手段は、前記通話相手に関する情報に対応付けされたフォルダに分類して前記録音ファイルを記憶することを特徴とする請求項１から３のいずれか一項に記載の音声処理装置。
【請求項５】
電話機を接続可能に構成された音声処理装置において、
前記電話機での通話内容を録音する録音ステップと、
録音された前記通話内容に基づいて録音ファイルを生成するファイル生成ステップと、
前記電話機から通話相手に関する情報を取得する情報取得ステップと、
取得された前記通話相手に関する情報を生成された前記録音ファイルに付与する情報付与ステップと、
を含む音声処理方法。
【請求項６】
電話機を接続可能に構成された音声処理装置において、
コンピュータに、
前記電話機での通話内容を録音する録音機能と、
録音された前記通話内容に基づいて録音ファイルを生成するファイル生成機能と、
前記電話機から通話相手に関する情報を取得する情報取得機能と、
取得された前記通話相手に関する情報を生成された前記録音ファイルに付与する情報付与機能と、
を実現させるためのプログラム。
【発明の詳細な説明】
【技術分野】
【０００１】
本発明は、音声処理装置、音声処理方法、及びプログラムに関する。
【背景技術】
【０００２】
近年、不揮発メモリに楽曲データ等を記憶するデジタルオーディオプレーヤー（Digital Audio Player：ＤＡＰ）と呼ばれるポータブル機器が開発され、市販されている。このようなＤＡＰは、従来の携帯型のＣＤプレーヤーやＭＤプレーヤー等と比べて、音飛びが発生しないこと、より多くの楽曲データを記憶できること、そしてより小型化（薄型化）・軽量化されたこと等の理由から、広く普及してきている。
【０００３】
電話機による通話時に、上記したＤＡＰを用いて通話相手との通話内容を録音する場合、電話機にＤＡＰを接続して、手動でＤＡＰの録音キーを押下することにより録音していた。また、録音を終了したい場合には、同様に手動で停止キーを押下することで停止させていた。
そして、録音された通話内容は、一度再生することによって確認していた。
以下、一連の録音動作について図５を用いて説明する。
【０００４】
図５は、従来のＤＡＰ内で行われる通話録音処理の一例について示したフローチャートである。
図５に示すように、ステップＳ１では、録音キーが入力されたか否かが判定される。録音キーが入力されていた場合は、次のステップＳ２へと移行し、録音キーが入力されていなかった場合は、当該ステップＳ１の処理を繰り返す。
ステップＳ２では、通話内容の録音が開始される。
ステップＳ３では、停止キーが入力されたか否かが判定される。停止キーが入力されていた場合は、次のステップＳ４へと移行し、停止キーが入力されていなかった場合は、当該ステップＳ３の処理を繰り返す。
ステップＳ４では、録音が停止される。録音が停止されると、録音された通話データに基づいて録音ファイルが生成される。
ステップＳ５では、生成されたファイルのファイル名に現在の日時（録音が停止された日時）を付与して記憶される。
【０００５】
このように、従来のＤＡＰを用いた通話内容の録音処理は、ユーザの手動操作により行われていた。
【先行技術文献】
【特許文献】
【０００６】
【特許文献１】特開２００７−２３３１３９号公報
【発明の概要】
【発明が解決しようとする課題】
【０００７】
しかしながら、ユーザの手動で録音処理を行う場合、録音キーを押し忘れたり、通話の途中から録音を開始したりする虞があり、必要な記録が取れない可能性がある。
また、生成されたファイルのファイル名に録音が停止された日時しか表記されないため、実際に再生してみないと電話での通話内容を録音したデータなのか判断することができない。
また、録音したデータが複数ある場合も、実際に再生してみないと相手先や内容を確認することができない。
【０００８】
また、電話での通話内容を録音したデータと他の録音データ（会議内容や音楽等を録音したデータ）とを混在してしまう虞があり、ユーザは録音データを再生して振り分ける操作を行うか、又は必要に応じてファイル名を変更する必要がある。
また、携帯電話の通話記録の機能を使用して録音データを確認する場合は携帯電話で聞き直す必要があり、携帯電話の使用が制限されている場所で確認することができない。
【０００９】
本発明は、記憶されている録音ファイルの内容を一目で判別可能にファイル名を付与することが可能な音声処理装置、音声処理方法、及びプログラムを提供することを目的とする。
【課題を解決するための手段】
【００１０】
請求項１に記載の発明は、上記目的を達成するためになされたものであり、電話機を接続可能に構成された音声処理装置において、前記電話機での通話内容を録音する録音手段と、前記録音手段により録音された前記通話内容に基づいて録音ファイルを生成するファイル生成手段と、前記電話機から通話相手に関する情報を取得する情報取得手段と、前記情報取得手段により取得された前記通話相手に関する情報を前記ファイル生成手段により生成された録音ファイルに付与する情報付与手段と、を備えることを特徴とする。
【００１１】
請求項２に記載の発明は、請求項１に記載のコンテンツ処理装置において、前記通話相手に関する情報は、当該通話相手の電話番号を含むことを特徴とする。
【００１２】
請求項３に記載の発明は、請求項２に記載のコンテンツ処理装置において、前記通話相手に関する情報は、前記電話機内で前記電話番号に対応付けられた文字列を含むことを特徴とする。
【００１３】
請求項４に記載の発明は、請求項１から３のいずれか一項に記載のコンテンツ処理装置において、前記情報付与手段により前記通話相手に関する情報を付与された録音ファイルを記憶する記憶手段を更に備え、前記記憶手段は、前記通話相手に関する情報に対応付けされたフォルダに分類して前記録音ファイルを記憶することを特徴とする。
【００１４】
請求項５に記載の発明は、電話機を接続可能に構成された音声処理装置において、前記電話機での通話内容を録音する録音ステップと、録音された前記通話内容に基づいて録音ファイルを生成するファイル生成ステップと、前記電話機から通話相手に関する情報を取得する情報取得ステップと、取得された前記通話相手に関する情報を生成された前記録音ファイルに付与する情報付与ステップと、を含む音声処理方法である。
【００１５】
請求項６に記載の発明は、電話機を接続可能に構成された音声処理装置において、コンピュータに、前記電話機での通話内容を録音する録音機能と、録音された前記通話内容に基づいて録音ファイルを生成するファイル生成機能と、前記電話機から通話相手に関する情報を取得する情報取得機能と、取得された前記通話相手に関する情報を生成された前記録音ファイルに付与する情報付与機能と、を実現させるためのプログラムである。
【発明の効果】
【００１６】
本発明によれば、記憶されている録音ファイルの内容を一目で判別可能にファイル名を付与することが可能な音声処理装置、音声処理方法、及びプログラムを提供することができる。
【図面の簡単な説明】
【００１７】
【図１】本実施形態に係るＤＡＰ１００の概略構成を示すブロック図である。
【図２】本実施形態に係るＤＡＰ１００内で行われる録音ファイル生成処理の一例について示したフローチャートである。
【図３】本実施形態に係る電話機２００内で行われる通話録音処理の一例について示したフローチャートである。
【図４】生成された録音ファイルをグループ分けして記憶するためのフォルダ構成の一例について示した図である。
【図５】従来のＤＡＰ内で行われる通話録音処理の一例について示したフローチャートである。
【発明を実施するための形態】
【００１８】
以下、本発明の実施の形態を図面に基づいて説明する。
【００１９】
以下、本発明の実施の形態を図面に基づいて説明する。なお、本実施形態では、本発明
に係る音声処理装置をＤＡＰに適用した場合について例示する。
【００２０】
図１は、本実施形態に係るＤＡＰ１００の概略構成を示すブロック図である。
図１に示すように、ＤＡＰ１００は、表示部１と、操作部２と、アンプ３と、出力部４と、記憶部５と、制御部６と、Ｉ／Ｆ７と、を備えて構成される。また、ＤＡＰ１００は、Ｉ／Ｆ７を介して電話機２００と接続されている。なお、電話機２００は、固定電話でも携帯電話でもよい。
【００２１】
表示部１は、例えば、液晶や有機ＥＬ（Electro Luminescence）等のディスプレイを備え、制御部６から出力された表示データに基づいて、楽曲情報等の各種情報（例えば、楽曲のトラック名や歌詞等のテキストファイル、ジャケット写真等の画像ファイル等）を表示する。
操作部２は、ＤＡＰ１００を操作するための操作キー群（例えば方向指示キー、決定キー、再生キー、録音キー、停止キー等）を備える。操作部２は、ユーザにより操作キーが押下されると、操作キーに応じた操作信号を生成し、制御部６に出力する。
【００２２】
アンプ３は、制御部６から出力された音声信号を増幅して出力部４に出力する。
出力部４は、アンプ３から出力された音声信号に基づく音声をヘッドホンやスピーカ、外部機器へ出力する。
【００２３】
記憶部５は、例えば、半導体メモリ（例えば、ＮＡＮＤ型ＦｌａｓｈＲＯＭ）やＨＤＤで構成され、音声ファイル（例えばｍｐ３、ｗｍａ、ａａｃ、ｗａｖ等）、画像ファイル（ｊｐｇ等）、テキストファイル（ｔｘｔ等）等の各種コンテンツを記憶する。なお、音声ファイルは、音源となる音声データの他、音声ファイルの基本的な情報について示したタグ情報（コンテンツ情報）を有する。
記憶部５に記憶された音声データは、制御部６で信号処理され、音声信号としてアンプ３に出力される。また、記憶部５に記憶された画像ファイルは、制御部６で信号処理され、表示部１に出力される。
【００２４】
制御部６は、例えば、ＣＰＵ（Central Processing Unit）６１、ＲＡＭ（Random Access Memory）６２、ＲＯＭ（Read Only Memory）６３、ＤＳＰ（Digital Signal Processor）６４等を備えて構成され、ＤＡＰ１００の各部を制御する。
ＣＰＵ６１は、ＲＯＭ６３に格納された処理プログラム等を読み出して、ＲＡＭ６２に展開して実行することにより、ＤＡＰ１００全体の制御を行う。
ＲＡＭ６２は、ＣＰＵ６１により実行された処理プログラム等を、ＲＡＭ６２内のプログラム格納領域に展開するとともに、入力データや上記処理プログラムが実行される際に生じる処理結果等をデータ格納領域に格納する。
ＲＯＭ６３は、例えば、半導体メモリで構成され、処理プログラムやデータ等が予め記憶されている。ＲＯＭ６３には、例えば、電話での通話内容を録音したファイルを生成する録音ファイル生成プログラム等が記憶されている。
ＤＳＰ６４は、音声ファイル、画像ファイル等のエンコードやデコード、音質調整等を行う。
【００２５】
また、ＣＰＵ６１は、電話機２００での通話内容を録音し、録音された通話内容に基づいて録音ファイルを生成し、電話機から通話相手に関する情報を取得し、取得された通話相手に関する情報をファイル生成手段により生成された録音ファイルに付与する。
通話相手に関する情報を付与された録音ファイルは記憶部５に記憶される。
【００２６】
Ｉ／Ｆ７は、例えば、ＳＤカード、ＵＳＢメモリ等の記憶媒体を着脱可能に構成され、当該記憶媒体との間で定められた形式に従って、音声ファイル等の送受信を行う。また、Ｉ／Ｆ７は、電話機２００を接続可能に構成され、電話機２００からの各種情報（例えば、音声、着信開始、通話開始、通話終了、電話番号、電話帳の登録名、日時等の情報）を受信する。
【００２７】
このように、ＤＡＰ１００は、電話機（電話機２００）を接続可能に構成され、電話機での通話内容を録音する録音手段（制御部６）と、録音手段により録音された通話内容に基づいて録音ファイルを生成するファイル生成手段（制御部６）と、電話機から通話相手に関する情報を取得する情報取得手段（制御部６）と、情報取得手段により取得された通話相手に関する情報をファイル生成手段により生成された録音ファイルに付与する情報付与手段（制御部６）と、を備える。
【００２８】
図２は、本実施形態に係るＤＡＰ１００内で行われる録音ファイル生成処理の一例について示したフローチャートである。この録音ファイル生成処理は、ＤＡＰ１００の電源がＯＮされたことを契機に、ＣＰＵ６１がＲＯＭ６３に格納されている録音ファイル生成プログラムを実行することにより実現される。
【００２９】
図２に示すように、ステップＳ１０１では、電話機２００が接続されているか否かが判定される。電話機２００が接続されていた場合は、次のステップＳ１０２へと移行し、電話機２００が接続されていなかった場合は、当該ステップＳ１０１の処理を繰り返す。
ステップＳ１０２では、着信があった旨の信号（以下着信信号）が受信されたか否かが判定される。着信信号が受信されていた場合は、次のステップＳ１０３へと移行し、着信信号が受信されていなかった場合は、当該ステップＳ１０２の処理を繰り返す。
ステップＳ１０３では、ＤＡＰ１００が再生中であるか否かが判定される。ＤＡＰ１００が再生中であった場合は、次のステップＳ１０４へと移行し、ＤＡＰ１００が再生中でなかった場合は、ステップＳ１０５へと移行する。
ステップＳ１０４では、ＤＡＰ１００の再生が停止される。
【００３０】
ステップＳ１０５では、通話を開始した旨の信号（以下通話開始信号）が受信されたか否かが判定される。通話開始信号が受信されていた場合は、次のステップＳ１０６へと移行し、通話開始信号が受信されていなかった場合は、ステップＳ１０７へと移行する。
ステップＳ１０６では、通話内容の録音が開始される。
ステップＳ１０７では、着信が終了した旨の信号（以下着信終了信号）が受信されたか否かが判定される。着信終了信号が受信されていた場合は、当該録音ファイル生成処理を終了し、着信終了信号が受信されていなかった場合は、ステップＳ１０５へと移行する。
ステップＳ１０８では、通話を終了した旨の信号（以下通話終了信号）が受信されたか否かが判定される。通話終了信号が受信されていた場合は、次のステップＳ１０９へと移行し、通話終了信号が受信されていなかった場合は、当該ステップＳ１０８の処理を繰り返す。
ステップＳ１０９では、録音が停止される。録音が停止されると、録音された通話データに基づいて録音ファイルが生成され、記憶部５に記憶される。
【００３１】
ステップＳ１１０では、電話機２００に対して通話相手に関する情報（通話開始・終了日時、電話番号、登録名等の情報）の送信要求が行われる。
ステップＳ１１１では、通話相手に関する情報が受信されたか否かが判定される。通話相手に関する情報が受信されていた場合は、次のステップＳ１１２へと移行し、通話相手に関する情報が受信されていなかった場合は、当該録音ファイル生成処理を終了する。
ステップＳ１１２では、ステップＳ１０９で生成された録音ファイルに通話相手に関する情報が付与される。具体的には、ステップＳ１１１で受信された通話相手に関する情報が、録音ファイルのタグ情報に記録される。
【００３２】
このように、録音ファイルのタグ情報に通話相手に関する情報を記録することにより、録音データを再生せずとも録音ファイルの内容を把握することができる。
【００３３】
図３は、本実施形態に係る電話機２００内で行われる通話録音処理の一例について示したフローチャートである。
図３に示すように、ステップＳ２０１では、着信があるか否かが判定される。着信があった場合は、次のステップＳ２０２へと移行し、着信がなかった場合は、当該ステップＳ２０１の処理を繰り返す。
ステップＳ２０２では、ＤＡＰ１００が接続されているか否かが判定される。ＤＡＰ１００が接続されていた場合は、次のステップＳ２０３へと移行し、ＤＡＰ１００が接続されていなかった場合は、当該通話録音処理を終了する。
ステップＳ２０３では、ＤＡＰ１００に着信があった旨の信号（着信信号）が送信される。
【００３４】
ステップＳ２０４では、通話が開始されたか否かが判定される。通話が開始されていた場合は、次のステップＳ２０５へと移行し、通話が開始されていなかった場合は、ステップＳ２１０へと移行する。
ステップＳ２０５では、ＤＡＰ１００に通話を開始した旨の信号（通話開始信号）が送信される。
ステップＳ２０６では、通話が終了したか否かが判定される。通話が終了していた場合は、次のステップＳ２０７へと移行し、通話が終了していなかった場合は、当該ステップＳ２０６の処理を繰り返す。
ステップＳ２０７では、ＤＡＰ１００に通話を終了した旨の信号（通話終了信号）が送信される。
【００３５】
ステップＳ２０８では、ＤＡＰ１００から通話相手に関する情報の送信要求があったか否かが判定される。通話相手に関する情報が要求されていた場合は、次のステップＳ２０９へと移行し、通話相手に関する情報が要求されていなかった場合は、当該通話録音処理を終了する。
ステップＳ２０９では、ＤＡＰ１００に通話相手に関する情報が送信される。
【００３６】
ステップＳ２１０では、着信が終了したか否かが判定される。着信が終了していた場合は、次のステップＳ２１１へと移行し、着信が終了していなかった場合は、ステップＳ２０４へと移行する。
ステップＳ２１１では、ＤＡＰ１００に着信を終了した旨の信号（着信終了信号）が送信される。
【００３７】
以上、本発明に係る実施形態に基づいて具体的に説明したが、本発明は上記実施形態に限定されるものではなく、その要旨を逸脱しない範囲で変更可能である。
【００３８】
例えば、上記実施形態では、生成された録音ファイルに通話相手に関する情報（電話番号等）を付与するようにしているが、ファイル名に特定の文字列（例えば、「電話」、「ＴＥＬ」等の文字列、日付、登録名等）を付与することで、電話での通話内容が録音されていることを一目で判別できるようにしてもよい。
【００３９】
また、生成された録音ファイルのタグ情報のタイトル、アーティスト、アルバム、コメントなどの各エリアに情報をそれぞれ入力するようにしてもよい。例えば、タイトルに電話番号、アーティストに電話、アルバムに日時等を入力する。
【００４０】
また、電話での通話内容を録音した場合は、電話の録音データとわかるようにフォルダ（ＰＨＯＮＥフォルダ）を作成し、そのフォルダに録音データを振り分けるようにしてもよい。
また、電話機により電話番号をグループ分けして登録できる場合は、グループの名称を電話機より取得し、その名称をフォルダ名として録音データを振り分けるようにしてもよい。すなわち、記憶部５に、電話番号等の通話相手に関する情報に対応付けされたフォルダを構成し、当該フォルダごとに分類して録音ファイルを記憶させるようにしてもよい。そうすることで、ユーザの所望する録音ファイルの検索が容易となる。
以下、図４を用いて、生成された録音ファイルをグループ分けして記憶するためのフォルダ構成の一例について説明する。
【００４１】
図４では、音楽ファイルを「ＭＵＳＩＣ」フォルダ、会議内容を録音したファイルを「ＲＥＣＯＲＤ」フォルダ、電話での通話内容を録音したファイルを「ＰＨＯＮＥ」フォルダにそれぞれ格納した様子が示されている。
「ＭＵＳＩＣ」フォルダ内には、楽曲をアルバム単位で記憶するための「Ａｌｂｕｍ」フォルダが作成されており、例えば、「Ａｌｂｕｍ００１」フォルダには、「ｍｕｓｉｃＡ０１．ｍｐ３」ファイル、「ｍｕｓｉｃＡ０２．ｍｐ３」ファイル、・・が格納されている。
【００４２】
また、「ＲＥＣＯＲＤ」フォルダには、例えば、「０８１２１５１０１８３３．ｗａｖ」ファイル、「０８１２１６１０１８３３．ｗａｖ」ファイル、・・が格納されている。
また、「ＰＨＯＮＥ」フォルダ内には、通話相手の電話番号をフォルダ名に冠したフォルダ（例えば「０８０ＸＸ３３ＸＸＸＸ」フォルダ）や通話相手の名前を冠したフォルダ（例えば「○○さん」フォルダ）、或いは非通知でかかってきた通話データを格納するための「非通知」フォルダが作成されている。通話相手の電話番号をフォルダ名に冠した「０８０ＸＸ３３ＸＸＸＸ」フォルダには、例えば、当該通話相手との通話を録音した日時をファイル名とした「０８１２２０２２３０３３．ｍｐ３」ファイル、「０８１２２１１６５１１４．ｍｐ３」ファイル、・・が格納されている。当該通話相手との通話を録音した日時を表すファイル名「０８１２２０２２３０３３．ｍｐ３」は、２００８年１２月２０日２２時３０分３３秒に生成されたファイルであることを示す。また、通話相手の名前を冠したフォルダ「○○さん」フォルダにも同様に、通話を録音した日時をファイル名とした「０８０５２６１８０６１４．ｍｐ３」ファイル、「０８１１０５１９４２２４．ｍｐ３」ファイル、・・が格納されている。また、「非通知」フォルダには、例えば、「０８１２０４１４５５０３．ｍｐ３」フォルダ、・・が格納されている。
【００４３】
ここで、フォルダ名に付与される通話相手の電話番号や名前は、ＤＡＰ側の処理に基づいて、電話機から取得され付与される。通話相手の名前は、電話機における電話帳に登録されている名前を用いるが、ＤＡＰ側の処理に基づいて、取得した電話番号に名前を対応付けてもよい。
【００４４】
また、ＤＡＰ側で録音したい電話番号を登録できるようにしてもよい。そうすることで、例えば、ＤＡＰ内に登録されている電話番号のときに録音する、又はＤＡＰ内に登録されていない電話番号や非通知、公衆電話等のときに録音する等の条件に基づいて、録音を行うか否か判断させることが可能となる。そうすることで、必要なデータのみを残すことができる。
また、録音後に、電話番号、非通知、公衆電話等の情報を電話機から取得して、ファイル名やタグ情報に記録するようにしてもよい。
【００４５】
また、電話機からＤＡＰに電話番号を登録した電話帳を転送し、ＤＡＰ側で電話帳の登録内容を検索することで、録音を行うか否かを判断させるようにしてもよい。
また、ＤＡＰの再生中に電話の録音処理を行った場合、録音終了後、録音前に再生していたコンテンツのつづきを再生するようにしてもよい。
【００４６】
その他、ＤＡＰ１００を構成する各装置の細部構成及び細部動作に関しても、本発明の趣旨を逸脱することのない範囲で適宜変更可能である。
【符号の説明】
【００４７】
１００  ＤＡＰ
１  表示部
２  操作部
３  アンプ
４  出力部
５  記憶部
６  制御部
６１  ＣＰＵ
６２  ＲＡＭ
６３  ＲＯＭ
６４  ＤＳＰ
７  Ｉ／Ｆ 
【図１】
2010171762.tif 000003
【図２】
2010171762.tif 000004
【図３】
2010171762.tif 000005
【図４】
2010171762.tif 000006
【図５】
2010171762.tif 000007